(57)【特許請求の範囲】
【請求項１】
アーマチュアと、前記アーマチュアを開弁駆動するために開弁駆動用電流が通電される開弁駆動用ソレノイドと、前記アーマチュアを閉弁駆動するために閉弁駆動用電流が通電される閉弁駆動用ソレノイドとを具備する内燃機関用燃料噴射弁において、前記開弁駆動用ソレノイドのコイルを流れる開弁駆動用電流のアーマチュア軸線方向に対する向きであって開弁駆動用電流通電時の定常状態におけるものと、前記閉弁駆動用ソレノイドのコイルを流れる閉弁駆動用電流のアーマチュア軸線方向に対する向きであって閉弁駆動用電流通電時の定常状態におけるものとが同一方向とされ、一方のソレノイドのコイルを流れる電流であって過渡状態におけるものが発生する誘導起電力により、他方のソレノイドが発生している磁気の消磁が促進せしめられる内燃機関用燃料噴射弁。
【請求項２】
前記アーマチュアが単一のアーマチュアにより構成され、前記開弁駆動用ソレノイドが前記アーマチュアの長手方向一端に配置され、前記閉弁駆動用ソレノイドが前記アーマチュアの長手方向他端に配置され、前記閉弁駆動用ソレノイドに対する通電開始後の過渡時に発生する誘導起電力により、前記開弁駆動用ソレノイドに対する通電終了後に前記開弁駆動用ソレノイドに引き続き残留している磁気吸引力の消磁が促進せしめられる請求項１に記載の内燃機関用燃料噴射弁。
【発明の詳細な説明】
【０００１】
【発明の属する技術分野】
本発明は内燃機関用燃料噴射弁に関する。
【０００２】
【従来の技術】
従来、アーマチュアと、アーマチュアを開弁駆動するために開弁駆動用電流が通電される開弁駆動用ソレノイドと、アーマチュアを閉弁駆動するために閉弁駆動用電流が通電される閉弁駆動用ソレノイドとを具備する内燃機関用燃料噴射弁が知られている。この種の内燃機関用燃料噴射弁の例としては、例えば特開平７−２３９０５０号公報の図１２に記載されたものがある。
【０００３】
【発明が解決しようとする課題】
ところが、特開平７−２３９０５０号公報には、開弁駆動用ソレノイドのコイルを流れる開弁駆動用電流のアーマチュア軸線方向に対する向きであって開弁駆動用電流通電時の定常状態におけるものと、閉弁駆動用ソレノイドのコイルを流れる閉弁駆動用電流のアーマチュア軸線方向に対する向きであって閉弁駆動用電流通電時の定常状態におけるものとが同一方向になるように配置される点について開示されていない。従って、特開平７−２３９０５０号公報に記載された内燃機関用燃料噴射弁では、開弁駆動用ソレノイドのコイルを流れる開弁駆動用電流のアーマチュア軸線方向に対する向きであって開弁駆動用電流通電時の定常状態におけるものと、閉弁駆動用ソレノイドのコイルを流れる閉弁駆動用電流のアーマチュア軸線方向に対する向きであって閉弁駆動用電流通電時の定常状態におけるものとが同一方向になるように配置し、閉弁駆動用ソレノイドに対する通電開始後の過渡時に発生する誘導起電力により、開弁駆動用ソレノイドに対する通電終了後に開弁駆動用ソレノイドに引き続き残留している磁気吸引力の消磁を促進せしめることができない。
【０００４】
また、特開平７−１９８０５３号公報には、開弁駆動用ソレノイドに対する通電終了後に開弁駆動用ソレノイドに引き続き残留している磁気吸引力の消磁を促進せしめるための消磁用ソレノイドを設けた電磁制御弁が開示されている。
【０００５】
ところが、特開平７−１９８０５３号公報に記載された電磁制御弁では、開弁駆動用ソレノイドのコイルを流れる開弁駆動用電流のアーマチュア軸線方向に対する向きであって開弁駆動用電流通電時の定常状態におけるものと、消磁用ソレノイドのコイルを流れる消磁用電流のアーマチュア軸線方向に対する向きであって消磁用電流通電時の定常状態におけるものとが逆方向になるように配置されている。従って、特開平７−１９８０５３号公報に記載された電磁制御弁では、消磁用ソレノイドに対する通電開始後の過渡時に発生する誘導起電力により、開弁駆動用ソレノイドに対する通電終了後に開弁駆動用ソレノイドに引き続き残留している磁気吸引力の消磁を促進せしめることができない。
【０００６】
更に、特開平７−１９８０５３号公報に記載された電磁制御弁では、開弁駆動用ソレノイドがアーマチュアの長手方向一端に配置されているものの、消磁用ソレノイドが、アーマチュアの長手方向他端に配置されておらず、開弁駆動用ソレノイドと同様にアーマチュアの長手方向一端に配置されている。従って、特開平７−１９８０５３号公報に記載された電磁制御弁では、開弁駆動用ソレノイドによりアーマチュアを開弁駆動することができるものの、消磁用ソレノイドによってはアーマチュアを閉弁駆動することができない。
【０００７】
前記問題点に鑑み、本発明は、開弁駆動用ソレノイドによる開弁駆動及び閉弁駆動用ソレノイドによる閉弁駆動を行うと共に、閉弁駆動用ソレノイドに対する通電開始後の過渡時に発生する誘導起電力により、開弁駆動用ソレノイドに対する通電終了後に開弁駆動用ソレノイドに引き続き残留している磁気吸引力の消磁を促進せしめ、閉弁応答性を向上させることができる内燃機関用燃料噴射弁を提供することを目的とする。
【０００８】
【課題を解決するための手段】
請求項１に記載の発明によれば、アーマチュアと、前記アーマチュアを開弁駆動するために開弁駆動用電流が通電される開弁駆動用ソレノイドと、前記アーマチュアを閉弁駆動するために閉弁駆動用電流が通電される閉弁駆動用ソレノイドとを具備する内燃機関用燃料噴射弁において、前記開弁駆動用ソレノイドのコイルを流れる開弁駆動用電流のアーマチュア軸線方向に対する向きであって開弁駆動用電流通電時の定常状態におけるものと、前記閉弁駆動用ソレノイドのコイルを流れる閉弁駆動用電流のアーマチュア軸線方向に対する向きであって閉弁駆動用電流通電時の定常状態におけるものとが同一方向とされ、一方のソレノイドのコイルを流れる電流であって過渡状態におけるものが発生する誘導起電力により、他方のソレノイドが発生している磁気の消磁が促進せしめられる内燃機関用燃料噴射弁が提供される。
【０００９】
請求項１に記載の内燃機関用燃料噴射弁では、開弁駆動用ソレノイドに開弁駆動用電流が通電されることによりアーマチュアを開弁駆動することができると共に、閉弁駆動用ソレノイドに閉弁駆動用電流が通電されることによりアーマチュアを閉弁駆動することができる。更に、開弁駆動用ソレノイドのコイルを流れる開弁駆動用電流のアーマチュア軸線方向に対する向きであって開弁駆動用電流通電時の定常状態におけるものと、閉弁駆動用ソレノイドのコイルを流れる閉弁駆動用電流のアーマチュア軸線方向に対する向きであって閉弁駆動用電流通電時の定常状態におけるものとが同一方向になるように配置され、一方のソレノイドのコイルを流れる電流であって過渡状態におけるものが発生する誘導起電力により、他方のソレノイドが発生している磁気の消磁が促進せしめられる。そのため、一方のソレノイドに対する通電の開始と他方のソレノイドに対する通電の終了とがほぼ同時期に行われる場合、通電を開始されたソレノイドのコイルを流れる電流であって過渡状態におけるものが発生する誘導起電力の向きは、通電を終了されたソレノイドのコイルを流れる電流であって過渡状態におけるものが発生する誘導起電力の向きと逆向きになり、それぞれの誘導起電力は互いに相殺しあうことになる。つまり、通電を開始されたソレノイドのコイルを流れる電流であって過渡状態におけるものが発生する誘導起電力により、他方のソレノイドが発生している磁気の消磁を促進せしめることができる。すなわち、通電が開始されたソレノイドのコイルを流れる電流であって定常状態におけるものが発生する磁束により他方のソレノイドが発生している磁気を消磁させる特開平７−１９８０５３号公報に記載されたものと異なり、通電が開始されたソレノイドのコイルを流れる電流の過渡時に他方のソレノイドが発生している磁気を消磁せしめることができる。それゆえ、例えば閉弁駆動用ソレノイドに対する通電の開始と開弁駆動用ソレノイドに対する通電の終了とがほぼ同時期に行われる場合、開弁駆動用ソレノイドのコイルを流れる開弁駆動用電流のアーマチュア軸線方向に対する向きであって開弁駆動用電流通電時の定常状態におけるものと、閉弁駆動用ソレノイドのコイルを流れる閉弁駆動用電流のアーマチュア軸線方向に対する向きであって閉弁駆動用電流通電時の定常状態におけるものとが同一方向になるように配置されないものに比べ、閉弁応答性を向上させることができる。
【００１０】
請求項２に記載の発明によれば、前記アーマチュアが単一のアーマチュアにより構成され、前記開弁駆動用ソレノイドが前記アーマチュアの長手方向一端に配置され、前記閉弁駆動用ソレノイドが前記アーマチュアの長手方向他端に配置され、前記閉弁駆動用ソレノイドに対する通電開始後の過渡時に発生する誘導起電力により、前記開弁駆動用ソレノイドに対する通電終了後に前記開弁駆動用ソレノイドに引き続き残留している磁気吸引力の消磁が促進せしめられる請求項１に記載の内燃機関用燃料噴射弁が提供される。
【００１１】
請求項２に記載の内燃機関用燃料噴射弁では、開弁駆動用ソレノイドがアーマチュアの長手方向一端に配置されると共に閉弁駆動用ソレノイドがアーマチュアの長手方向他端に配置されるため、開弁駆動用ソレノイドによる開弁駆動及び閉弁駆動用ソレノイドによる閉弁駆動を確実に行うことができる。また、閉弁駆動用ソレノイドに対する通電開始後の過渡時に発生する誘導起電力により開弁駆動用ソレノイドに対する通電終了後に開弁駆動用ソレノイドに引き続き残留している磁気吸引力の消磁が促進せしめられるように、開弁駆動用ソレノイドのコイルを流れる開弁駆動用電流のアーマチュア軸線方向に対する向きであって開弁駆動用電流通電時の定常状態におけるものと、閉弁駆動用ソレノイドのコイルを流れる閉弁駆動用電流のアーマチュア軸線方向に対する向きであって閉弁駆動用電流通電時の定常状態におけるものとが同一方向になるように配置される。そのため、開弁駆動用ソレノイドに対する通電開始後の定常時に発生する磁束により他方のソレノイドに引き続き残留している磁気吸引力の消磁を行うものと異なり、開弁駆動用ソレノイドに対する通電開始後の過渡時に開弁駆動用ソレノイドに引き続き残留している磁気吸引力の消磁を行うことができる。
【００１６】
【発明の実施の形態】
以下、添付図面を用いて本発明の実施形態について説明する。
【００１７】
図１は本発明の内燃機関用燃料噴射弁の一実施形態の部分断面側面図である。図１において、１はアーマチュア、２はアーマチュア１を開弁駆動するために開弁駆動用電流が通電される開弁駆動用ソレノイド、３はアーマチュア１を閉弁駆動するために閉弁駆動用電流が通電される閉弁駆動用ソレノイドである。４は噴孔、５は噴孔４を開閉するためにアーマチュア１に連結された弁体、６は本体パイプ、７は開弁駆動用ソレノイド２又は閉弁駆動用ソレノイド３により形成される磁路の一部を構成する磁路構成部材である。８は開弁駆動用ソレノイド２により形成される磁路と閉弁駆動用ソレノイド３により形成される磁路とが互いに重複してしまうのを阻止するために配置された非磁性体、９は燃料通路、１０はアーマチュア１を閉弁方向（図１の左側）に付勢するためのスプリング、１１は磁路がアーマチュア１内を通過するように磁路を規制するための非磁性部である。
【００１８】
図２は開弁駆動用ソレノイドのコイルを流れる開弁駆動用電流のアーマチュア軸線方向に対する向きであって開弁駆動用電流通電時の定常状態におけるものと閉弁駆動用ソレノイドのコイルを流れる閉弁駆動用電流のアーマチュア軸線方向に対する向きであって閉弁駆動用電流通電時の定常状態におけるものと比較して示した図である。詳細には、図２（ａ）は開弁駆動用ソレノイドのコイルを流れる開弁駆動用電流のアーマチュア軸線方向に対する向きであって開弁駆動用電流通電時の定常状態におけるものと閉弁駆動用ソレノイドのコイルを流れる閉弁駆動用電流のアーマチュア軸線方向に対する向きであって閉弁駆動用電流通電時の定常状態におけるものとが同一方向になるように配置した本実施形態の場合の図である。一方、図２（ｂ）は本実施形態の場合（図２（ａ））と比較するために示した開弁駆動用ソレノイドのコイルを流れる開弁駆動用電流のアーマチュア軸線方向に対する向きであって開弁駆動用電流通電時の定常状態におけるものと閉弁駆動用ソレノイドのコイルを流れる閉弁駆動用電流のアーマチュア軸線方向に対する向きであって閉弁駆動用電流通電時の定常状態におけるものとが逆方向になるように配置した場合の図である。
【００１９】
図２（ａ）において、Ｌはアーマチュア軸線方向、１２は開弁駆動用ソレノイド２のコイル、１３は閉弁駆動用ソレノイド３のコイル、２２は開弁駆動用ソレノイド２のコイル１２を流れる開弁駆動用電流のアーマチュア軸線方向Ｌに対する向き、２３は閉弁駆動用ソレノイド３のコイル１３を流れる閉弁駆動用電流のアーマチュア軸線方向Ｌに対する向きである。３２は開弁駆動用ソレノイド２のコイル１２を流れる開弁駆動用電流の定常時に形成される磁束方向、３３は閉弁駆動用ソレノイド３のコイル１３を流れる閉弁駆動用電流の定常時に形成される磁束方向である。４２は開弁駆動用ソレノイド２のコイル１２を流れる開弁駆動用電流が減少する過渡時に発生する誘導起電力方向、４３は閉弁駆動用ソレノイド３のコイル１３を流れる閉弁駆動用電流が増加する過渡時に発生する誘導起電力方向である。尚、図１に示した参照番号と同一の参照番号は図１に示した部品又は部分と同一の部品又は部分を示している。また、図２（ｂ）において、Ｌ’はアーマチュア軸線方向、１０１はアーマチュア、１１２は開弁駆動用ソレノイド１０２のコイル、１１３は閉弁駆動用ソレノイド１０３のコイル、１２２は開弁駆動用ソレノイド１０２のコイル１１２を流れる開弁駆動用電流のアーマチュア軸線方向Ｌ’に対する向き、１２３は閉弁駆動用ソレノイド１０３のコイル１１３を流れる閉弁駆動用電流のアーマチュア軸線方向Ｌ’に対する向きである。１３２は開弁駆動用ソレノイド１０２のコイル１１２を流れる開弁駆動用電流の定常時に形成される磁束方向、１３３は閉弁駆動用ソレノイド１０３のコイル１１３を流れる閉弁駆動用電流の定常時に形成される磁束方向である。１４２は開弁駆動用ソレノイド１０２のコイル１１２を流れる開弁駆動用電流が減少する過渡時に発生する誘導起電力方向、１４３は閉弁駆動用ソレノイド１０３のコイル１１３を流れる閉弁駆動用電流が増加する過渡時に発生する誘導起電力方向である。
【００２０】
本実施形態の場合（図２（ａ））の効果を説明する前に、図３について説明する。図３は開弁駆動信号、閉弁駆動信号、開弁駆動用ソレノイドに流れる電流値、閉弁駆動用ソレノイドに流れる電流値及び弁体挙動と時間との関係を示したグラフである。これらの関係は、本実施形態の場合（図２（ａ））のみならず図２（ｂ）に示した場合にも適用されるものである。図３に示すように、開弁駆動信号は時間Ｔ０にＯＦＦからＯＮに切り換えられ、時間Ｔ４にＯＮからＯＦＦに切り換えられる。一方、閉弁駆動信号は時間Ｔ５にＯＦＦからＯＮに切り換えられ、時間Ｔ９にＯＮからＯＦＦに切り換えられる。従って、開弁駆動用ソレノイドに流れる電流値は、時間Ｔ０から時間Ｔ１まで増加し、時間Ｔ１から時間Ｔ４まで一定値となる定常状態にあり、時間Ｔ４から時間Ｔ６まで減少する過渡状態にある。また、閉弁駆動用ソレノイドに流れる電流値は、時間Ｔ５から時間Ｔ７まで増加する過渡状態にあり、時間Ｔ７から時間Ｔ９まで一定値となる定常状態にあり、時間Ｔ９から時間Ｔ１０まで減少する。開弁駆動用ソレノイドへの通電が開始されると開弁駆動用ソレノイドにはアーマチュアを開弁方向に吸引する磁気吸引力が発生し、それゆえ、弁体は時間Ｔ２〜時間Ｔ３に全閉位置から全開位置までスプリングの力に抗して移動する。一方、開弁駆動用ソレノイドへの通電が終了されると開弁駆動用ソレノイドがアーマチュアを開弁方向に吸引する磁気吸引力が消失し、アーマチュアはスプリングにより閉弁方向に付勢される。更に、閉弁駆動用ソレノイドへの通電が開始されると閉弁駆動用ソレノイドにはアーマチュアを閉弁方向に吸引する磁気吸引力が発生する。それゆえ、弁体は時間Ｔ９〜時間Ｔ１０に全開位置から全閉位置まで移動する。
【００２１】
図２（ａ）及び図３に示すように、本実施形態によれば、開弁駆動用ソレノイド２のコイル１２を流れる開弁駆動用電流のアーマチュア軸線方向Ｌに対する向き２２であって開弁駆動用電流通電時（時間Ｔ０〜時間Ｔ６）の定常状態（時間Ｔ１〜時間Ｔ４）におけるものは下向き（図２（ａ））とされる。更に、閉弁駆動用ソレノイド３のコイル１３を流れる閉弁駆動用電流のアーマチュア軸線方向Ｌに対する向き２３であって閉弁駆動用電流通電時（時間Ｔ５〜時間Ｔ１０）の定常状態（時間Ｔ７〜時間Ｔ９）におけるものも下向き（図２（ａ））とされる。つまり、開弁駆動用ソレノイド２のコイル１２を流れる開弁駆動用電流のアーマチュア軸線方向Ｌに対する向き２２と閉弁駆動用ソレノイド３のコイル１３を流れる閉弁駆動用電流のアーマチュア軸線方向Ｌに対する向き２３とは同一方向とされる。
【００２２】
そのため、閉弁駆動用ソレノイド３に対する通電の開始（時間Ｔ５）と開弁駆動用ソレノイド２に対する通電の終了（時間Ｔ４）とがほぼ同時期に行われる場合、通電を開始された閉弁駆動用ソレノイド３のコイル１３を流れる電流であって過渡状態（時間Ｔ５〜時間Ｔ７）におけるものが発生する誘導起電力方向４３は、通電を終了された開弁駆動用ソレノイド２のコイル１２を流れる電流であって過渡状態（時間Ｔ４〜時間Ｔ６）におけるものが発生する誘導起電力方向４２と逆向きになり、それぞれの誘導起電力は互いに相殺しあうことになる。つまり、通電を開始された閉弁駆動用ソレノイド３のコイル１３を流れる電流であって過渡状態（時間Ｔ５〜時間Ｔ７）におけるものが発生する誘導起電力により、他方の開弁駆動用ソレノイド２が発生している磁気吸引力の消磁を促進せしめることができる。すなわち、通電が開始された消磁用ソレノイドのコイルを流れる電流であって定常状態（時間Ｔ７〜時間Ｔ９）におけるものが発生する磁束により他方の開弁駆動用ソレノイドが発生している磁気吸引力を消磁させる特開平７−１９８０５３号公報に記載されたものと異なり、通電が開始された閉弁駆動用ソレノイド３のコイル１３を流れる電流の過渡時（時間Ｔ５〜時間Ｔ７）に他方の開弁駆動用ソレノイド２が発生している磁気吸引力を消磁せしめることができる。
【００２３】
図２（ｂ）に示した場合においては、開弁駆動用ソレノイド１０２のコイル１１２を流れる開弁駆動用電流のアーマチュア軸線方向Ｌ’に対する向き１２２であって開弁駆動用電流通電時（時間Ｔ０〜時間Ｔ６）の定常状態（時間Ｔ１〜時間Ｔ４）におけるものは下向き（図２（ｂ））とされる。一方、閉弁駆動用ソレノイド１０３のコイル１１３を流れる閉弁駆動用電流のアーマチュア軸線方向Ｌ’に対する向き１２３であって閉弁駆動用電流通電時（時間Ｔ５〜時間Ｔ１０）の定常状態（時間Ｔ７〜時間Ｔ９）におけるものは上向き（図２（ｂ））とされる。つまり、開弁駆動用ソレノイド１０２のコイル１１２を流れる開弁駆動用電流のアーマチュア軸線方向Ｌ’に対する向き１２２と閉弁駆動用ソレノイド１０３のコイル１１３を流れる閉弁駆動用電流のアーマチュア軸線方向Ｌ’に対する向き１２３とは逆向きとされる。
【００２４】
そのため、閉弁駆動用ソレノイド１０３に対する通電の開始（時間Ｔ５）と開弁駆動用ソレノイド１０２に対する通電の終了（時間Ｔ４）とがほぼ同時期に行われる場合、通電を開始された閉弁駆動用ソレノイド１０３のコイル１１３を流れる電流であって過渡状態（時間Ｔ５〜時間Ｔ７）におけるものが発生する誘導起電力方向１４３は、通電を終了された開弁駆動用ソレノイド１０２のコイル１１２を流れる電流であって過渡状態（時間Ｔ４〜時間Ｔ６）におけるものが発生する誘導起電力方向１４２と同一方向になり、それぞれの誘導起電力は互いに強められることになる。つまり、通電を開始された閉弁駆動用ソレノイド１０３のコイル１１３を流れる電流であって過渡状態（時間Ｔ５〜時間Ｔ７）におけるものが発生する誘導起電力により、他方の開弁駆動用ソレノイド１０２が発生している磁気吸引力の消磁が妨げられてしまう。つまり、他方の開弁駆動用ソレノイド１０２が発生している磁気吸引力の消磁が遅延せしめられてしまう。
【００２５】
図４は開弁駆動信号がＯＮからＯＦＦに切り換えられてから閉弁駆動信号がＯＦＦからＯＮに切り換えられるまでに要する時間（Ｔ５−Ｔ４）と開弁駆動信号がＯＮからＯＦＦに切り換えられてから弁体が全閉位置に位置するまでに要する時間Ｔｃ（＝Ｔ８−Ｔ４）との関係を示したグラフである。図４に示すように、開弁駆動信号がＯＮからＯＦＦに切り換えられてから閉弁駆動信号がＯＦＦからＯＮに切り換えられるまでに要する時間（Ｔ５−Ｔ４）を多少変化させても、開弁駆動信号がＯＮからＯＦＦに切り換えられてから弁体が全閉位置に位置するまでに要する時間Ｔｃ（＝Ｔ８−Ｔ４）は、常に本実施形態の場合（図２（ａ））の方が図２（ｂ）に示した場合よりも短くなる。つまり、本実施形態の場合（図２（ａ））のように開弁駆動用ソレノイド２のコイル１２を流れる開弁駆動用電流のアーマチュア軸線方向Ｌに対する向き２２であって開弁駆動用電流通電時の定常状態におけるものと、閉弁駆動用ソレノイド３のコイル１３を流れる閉弁駆動用電流のアーマチュア軸線方向Ｌに対する向き２３であって閉弁駆動用電流通電時の定常状態におけるものとが同一方向になるように配置することにより、図２（ｂ）に示した場合のように開弁駆動用ソレノイド１０２のコイル１１２を流れる開弁駆動用電流のアーマチュア軸線方向Ｌ’に対する向き１２２であって開弁駆動用電流通電時の定常状態におけるものと閉弁駆動用ソレノイド１０３のコイル１１３を流れる閉弁駆動用電流のアーマチュア軸線方向Ｌ’に対する向き１２３であって閉弁駆動用電流通電時の定常状態におけるものとが逆方向になるように配置するよりも、開弁駆動信号がＯＮからＯＦＦに切り換えられてから弁体が全閉位置に位置するまでに要する時間Ｔｃ（＝Ｔ８−Ｔ４）を短くすることができる、すなわち、閉弁応答性を向上させることができる。尚、図４に示すように、閉弁応答性は、閉弁駆動信号がＯＦＦからＯＮに切り換えられる時間Ｔ５を開弁駆動信号がＯＮからＯＦＦに切り換えられる時間Ｔ４よりも若干早めた場合に最適となる。
【００２６】
要約すると、本実施形態によれば、まず第一に、開弁駆動用ソレノイド２に開弁駆動用電流が通電されることによりアーマチュア１を開弁駆動することができるだけでなく、閉弁駆動用ソレノイド３に閉弁駆動用電流が通電されることによりアーマチュア１を閉弁駆動することができる。つまり、本実施形態によれば、閉弁駆動用ソレノイドが設けられていない場合に比べ、閉弁応答性を向上させることができる。また、閉弁駆動用ソレノイドを設けることにより、スプリング１０の力を低減することができ、最高作動燃圧を向上させることができる。
【００２７】
第二に、閉弁駆動用ソレノイド３に対する通電の開始（時間Ｔ５）と開弁駆動用ソレノイド２に対する通電の終了（時間Ｔ４〜時間Ｔ６）とがほぼ同時期に行われる場合、開弁駆動用ソレノイド１０２のコイル１１２を流れる開弁駆動用電流のアーマチュア軸線方向Ｌ’に対する向き１２２であって開弁駆動用電流通電時の定常状態におけるものと、閉弁駆動用ソレノイド１０３のコイル１１３を流れる閉弁駆動用電流のアーマチュア軸線方向Ｌ’に対する向き１２３であって閉弁駆動用電流通電時の定常状態におけるものとが同一方向になるように配置されないもの（図２（ｂ））に比べ、閉弁応答性を向上させ、ダイナミックレンジを向上させることができる。
【００２８】
第三に、通電が開始された消磁用ソレノイドのコイルを流れる電流であって定常状態におけるものが発生する磁束により他方の開弁駆動用ソレノイドが発生している磁気吸引力を消磁させる特開平７−１９８０５３号公報に記載されたものと異なり、通電が開始された閉弁駆動用ソレノイド３のコイル１３を流れる電流の過渡時（時間Ｔ５〜時間Ｔ７）に他方の開弁駆動用ソレノイド２が発生している磁気吸引力を消磁せしめることができる。つまり、本実施形態によれば、閉弁駆動用ソレノイド３のコイル１３を流れる電流の定常時ではなく過渡時（時間Ｔ５〜時間Ｔ７）に開弁駆動用ソレノイド２が発生している磁気吸引力を消磁せしめることができる。
【００２９】
更に本実施形態によれば、開弁駆動用ソレノイド２がアーマチュア１の長手方向一端に配置されると共に閉弁駆動用ソレノイド３がアーマチュア１の長手方向他端に配置されるため、例えば開弁駆動用ソレノイド及び閉弁駆動用ソレノイドがアーマチュアの長手方向同一位置に配置される場合に比べ、開弁駆動用ソレノイド２による開弁駆動及び閉弁駆動用ソレノイド３による閉弁駆動を確実に行うことができる。
【００３０】
更に本実施形態によれば、一方のソレノイド３のコイル１３を流れる電流であって過渡状態におけるものが発生する誘導起電力により他方のソレノイド２が発生している磁気吸引力の消磁が促進せしめられるように、開弁駆動用ソレノイド２のコイル１２を流れる開弁駆動用電流のアーマチュア軸線方向Ｌに対する向き２２であって開弁駆動用電流通電時の定常状態におけるものと、閉弁駆動用ソレノイド３のコイル１３を流れる閉弁駆動用電流のアーマチュア軸線方向Ｌに対する向き２３であって閉弁駆動用電流通電時の定常状態におけるものとが同一方向になるように配置される。そのため、一方のソレノイドのコイルを流れる電流であって定常状態におけるものが発生する磁束により他方のソレノイドが発生している磁気の消磁を行うもの（特開平７−１９８０５３号）と異なり、一方のソレノイド３のコイル１３を流れる電流の過渡時に他方のソレノイド２が発生している磁気の消磁を行うことができる。
【００３１】
更に本実施形態によれば、閉弁駆動用ソレノイド３に対する通電開始後の過渡時に発生する誘導起電力により開弁駆動用ソレノイド２に対する通電終了後に開弁駆動用ソレノイド２に引き続き残留している磁気吸引力の消磁が促進せしめられるように、開弁駆動用ソレノイド２のコイル１２を流れる開弁駆動用電流のアーマチュア軸線方向Ｌに対する向き２２であって開弁駆動用電流通電時の定常状態におけるものと、閉弁駆動用ソレノイド３のコイル１３を流れる閉弁駆動用電流のアーマチュア軸線方向Ｌに対する向き２３であって閉弁駆動用電流通電時の定常状態におけるものとが同一方向になるように配置される。そのため、開弁駆動用ソレノイドに対する通電開始後の定常時に発生する磁束により他方のソレノイドに引き続き残留している磁気吸引力の消磁を行うもの（特開平７−１９８０５３号）と異なり、開弁駆動用ソレノイド２に対する通電開始後の過渡時に開弁駆動用ソレノイド２に引き続き残留している磁気吸引力の消磁を行うことができる。
【００３２】
【発明の効果】
請求項１に記載の発明によれば、アーマチュアを開弁駆動することができると共にアーマチュアを閉弁駆動することができる。更に、一方のソレノイドのコイルを流れる電流であって定常状態におけるものが発生する磁束により他方のソレノイドが発生している磁気の消磁を行うものと異なり、一方のソレノイドのコイルを流れる電流の過渡時に他方のソレノイドが発生している磁気の消磁を行うことができ、閉弁応答性を向上させることができる。
【００３３】
請求項２に記載の発明によれば、開弁駆動用ソレノイドによる開弁駆動及び閉弁駆動用ソレノイドによる閉弁駆動を確実に行うことができる。また、開弁駆動用ソレノイドに対する通電開始後の定常時に発生する磁束により他方のソレノイドに引き続き残留している磁気吸引力の消磁を行うものと異なり、開弁駆動用ソレノイドに対する通電開始後の過渡時に開弁駆動用ソレノイドに引き続き残留している磁気吸引力の消磁を行うことができる。
【図面の簡単な説明】
【図１】本発明の内燃機関用燃料噴射弁の一実施形態の部分断面側面図である。
【図２】開弁駆動用ソレノイドのコイルを流れる開弁駆動用電流のアーマチュア軸線方向に対する向きであって開弁駆動用電流通電時の定常状態におけるものと閉弁駆動用ソレノイドのコイルを流れる閉弁駆動用電流のアーマチュア軸線方向に対する向きであって閉弁駆動用電流通電時の定常状態におけるものと比較して示した図である。
【図３】開弁駆動信号、閉弁駆動信号、開弁駆動用ソレノイドに流れる電流値、閉弁駆動用ソレノイドに流れる電流値及び弁体挙動と時間との関係を示したグラフである。
【図４】開弁駆動信号がＯＮからＯＦＦに切り換えられてから閉弁駆動信号がＯＦＦからＯＮに切り換えられるまでに要する時間（Ｔ５−Ｔ４）と開弁駆動信号がＯＮからＯＦＦに切り換えられてから弁体が全閉位置に位置するまでに要する時間Ｔｃ（＝Ｔ８−Ｔ４）との関係を示したグラフである。
【符号の説明】
１…アーマチュア
２…開弁駆動用ソレノイド
３…閉弁駆動用ソレノイド
１２…開弁駆動用ソレノイドのコイル
１３…閉弁駆動用ソレノイドのコイル
２２…開弁駆動用電流のアーマチュア軸線方向に対する向き
２３…閉弁駆動用電流のアーマチュア軸線方向に対する向き
Ｌ…アーマチュア軸線方向
【図１】
0003539294.tif 000002
【図２】
0003539294.tif 000003
【図３】
0003539294.tif 000004
【図４】
0003539294.tif 000005